(57)【要約】【課題】シート送給手段からのシートを搬送ベルトに確実に受け取って搬送することができるシート搬送装置を提供する。【解決手段】紙取胴３１から受け渡されたシート１を搬送する搬送ベルト１１３を備えているシート搬送装置１００において、紙取胴３１からシート１を受け渡されるときにシート１を搬送ベルト１１３に押し付けるコロ１２４を有するシート移行手段を備え、このシート移行手段が、搬送ベルト１１３に対してコロ１２４を当接離反移動できるように支持する押付部材支持手段１０４，１２１〜１２３と、搬送ベルト１１３に対してコロ１２４を当接方向へ移動させるように押付部材支持手段１２１〜１２３を付勢する押付部材付勢手段１２５，１２６と、コロ１２４と紙取胴３１との干渉を避けるように搬送ベルト１１３に対するコロ１２４の離反方向への移動を規制する押付部材移動規制手段１０４，１２７〜１２９とを備える。【選択図】図２
2015189539.tif 000002
【特許請求の範囲】
【請求項１】
シート送給手段から受け渡されたシートを搬送する搬送ベルトを備えているシート搬送装置において、
前記シート送給手段からシートを受け渡されるときにシートを前記搬送ベルトに押し付ける押付部材を有するシート移行手段を備えている
ことを特徴とするシート搬送装置。
【請求項２】
請求項１に記載のシート搬送装置において、
前記押付部材が、シートの搬送方向先端側を前記搬送ベルトに押し付けるものである
ことを特徴とするシート搬送装置。
【請求項３】
請求項１又は請求項２に記載のシート搬送装置において、
前記押付部材は、前記シート送給手段が前記搬送ベルトにシートを受け渡すシート受渡位置でシートを前記搬送ベルトに押し付けるものである
ことを特徴とするシート搬送装置。
【請求項４】
請求項１から請求項３のいずれか一項に記載のシート搬送装置において、
前記シート送給手段が、前記搬送ベルトに対接すると共に、シートの端部を着脱可能に保持するくわえ装置を有する回転可能な紙取胴を備えるものであり、
前記シート移行手段が、
前記搬送ベルトに対して前記押付部材を当接離反移動できるように支持する押付部材支持手段と、
前記搬送ベルトに対して前記押付部材を当接方向へ移動させるように前記押付部材支持手段を付勢する押付部材付勢手段と、
前記押付部材と前記紙取胴との干渉を避けるように前記搬送ベルトに対する前記押付部材の離反方向への移動を規制する押付部材移動規制手段と
を備えるものである
ことを特徴とするシート搬送装置。
【請求項５】
請求項１から請求項４のいずれか一項に記載のシート搬送装置において、
前記押付部材がコロである
ことを特徴とするシート搬送装置。
【発明の詳細な説明】
【技術分野】
【０００１】
本発明は、シート送給手段から受け渡されたシートを搬送する搬送ベルトを備えているシート搬送装置に関する。
【背景技術】
【０００２】
例えば、印刷機において、印刷されたシートを排紙台上に紙積みする排紙装置としては、印刷されて胴にくわえ装置を介して保持されているシートを搬送ベルト上に載置するように受け渡して排紙台まで搬送して排紙台上に積載するものが知られている（例えば、下記特許文献１等参照）。
【先行技術文献】
【特許文献】
【０００３】
【特許文献１】特開２００７−１１９１０５号公報（図１３−１６）
【発明の概要】
【発明が解決しようとする課題】
【０００４】
前述したような従来の排紙装置においては、例えば、何らかの原因により、前記胴のくわえ装置からシートが離れずに搬送ベルト上に載置されなくなってしまうような状態を生じると、シートが詰まって傷ついてしまうだけでなく、ひどい場合には装置自身が損傷してしまう可能性があった。
【０００５】
このような問題は、印刷されたシートを排紙台上に紙積みする前述したような排紙装置に限らず、シート送給手段から受け渡されたシートを搬送する搬送ベルトを備えているシート搬送装置であれば、前述したような排紙装置の場合と同様にして起こり得ることである。
【０００６】
このようなことから、本発明は、シート送給手段からのシートを搬送ベルトに確実に受け取って搬送することができるシート搬送装置を提供することを目的とする。
【課題を解決するための手段】
【０００７】
前述した課題を解決するための、本発明に係るシート搬送装置は、シート送給手段から受け渡されたシートを搬送する搬送ベルトを備えているシート搬送装置において、前記シート送給手段からシートを受け渡されるときにシートを前記搬送ベルトに押し付ける押付部材を有するシート移行手段を備えていることを特徴とする。
【０００８】
また、本発明に係るシート搬送装置は、上述したシート搬送装置において、前記押付部材が、シートの搬送方向先端側を前記搬送ベルトに押し付けるものであることを特徴とする。
【０００９】
また、本発明に係るシート搬送装置は、上述したシート搬送装置において、前記押付部材は、前記シート送給手段が前記搬送ベルトにシートを受け渡すシート受渡位置でシートを前記搬送ベルトに押し付けるものであることを特徴とする。
【００１０】
また、本発明に係るシート搬送装置は、上述したシート搬送装置において、前記シート送給手段が、前記搬送ベルトに対接すると共に、シートの端部を着脱可能に保持するくわえ装置を有する回転可能な紙取胴を備えるものであり、前記シート移行手段が、前記搬送ベルトに対して前記押付部材を当接離反移動できるように支持する押付部材支持手段と、前記搬送ベルトに対して前記押付部材を当接方向へ移動させるように前記押付部材支持手段を付勢する押付部材付勢手段と、前記押付部材と前記紙取胴との干渉を避けるように前記搬送ベルトに対する前記押付部材の離反方向への移動を規制する押付部材移動規制手段とを備えるものであることを特徴とする。
【００１１】
また、本発明に係るシート搬送装置は、上述したシート搬送装置において、前記押付部材がコロであることを特徴とする。
【発明の効果】
【００１２】
本発明に係るシート搬送装置によれば、シート送給手段からシートを受け渡されるときにシート移行手段が押付部材でシートを搬送ベルトに押し付けることから、シート送給手段からシートを確実に離して搬送ベルトに確実に受け渡すことができ、シート送給手段からのシートを搬送ベルトで確実に受け取って搬送することができる。
【図面の簡単な説明】
【００１３】
【図１】本発明に係るシート搬送装置を排紙装置に利用した両面デジタル印刷機の主な実施形態の概略構成図である。
【図２】図１の両面デジタル印刷機の排紙装置の要部の抽出拡大図である。
【図３】図２の平面図である。
【発明を実施するための形態】
【００１４】
本発明に係るシート搬送装置の実施形態を図面に基づいて説明するが、本発明は図面に基づいて説明する以下の実施形態のみに限定されるものではない。
【００１５】
〈主な実施形態〉
本発明に係るシート搬送装置を両面デジタル印刷機の排紙装置に利用した場合の主な実施形態を図１〜３に基づいて説明する。
【００１６】
図１に示すように、シート１が積載される給紙台１１の上方には、当該給紙台１１上からフィーダボード１３上へシート１を一枚ずつ送り出すサッカ装置１２が配設されている。前記フィーダボード１３のシート搬送方向下流側は、シート１の端部を着脱可能に保持するくわえ装置２０Ａａを一つ有するいわゆる一倍胴の渡胴２０Ａの近傍に位置している。前記フィーダボード１３のシート搬送方向下流側と前記渡胴２０Ａとの間には、当該フィーダボード１３から当該渡胴２０Ａの前記くわえ装置２０Ａａにシート１を受け渡すスイング装置１４が配設されている。
【００１７】
前記渡胴２０Ａには、シート１の端部を着脱可能に保持する三つのくわえ装置２１ａ〜２１ｃを周方向に沿って等間隔で有するいわゆる三倍胴の印刷胴２１が対接している。前記印刷胴２１の前記渡胴２０Ａとの対接位置よりも回転方向下流側には、当該印刷胴２１の周面に保持されたシート１に対してインキを噴射して印刷を施すインクジェットノズルヘッド２２Ａ〜２２Ｄが先端側を当該印刷胴２１の外周面に対向させるようにして配設されている。前記印刷胴２１の前記インクジェットノズルヘッド２２Ａ〜２２Ｄとの対向位置よりも回転方向下流側には、当該印刷胴２１の周面に保持されて印刷されたシート１のインキを乾燥させる乾燥ランプ２３が正面を当該印刷胴２１の外周面に対向させるようにして配設されている。
【００１８】
前記印刷胴２１の、前記乾燥ランプ２３との対向位置よりも回転方向下流側と、前記渡胴２０Ａとの対接位置よりも回転方向上流側との間には、シート１の端部を着脱可能に保持するくわえ装置２０Ｂａを一つ有するいわゆる一倍胴の渡胴２０Ｂが対接している。前記渡胴２０Ｂの前記印刷胴２１との対接位置よりも回転方向下流側には、シート１の端部を着脱可能に保持するくわえ装置２０Ｃａを一つ有するいわゆる一倍胴の渡胴２０Ｃが対接している。
【００１９】
前記渡胴２０Ｃの前記渡胴２０Ｂとの対接位置よりも回転方向下流側には、シート１の端部を着脱可能に保持するくわえ装置２４ａを一つ有するものの当該渡胴２０Ｂ，２０Ｃ二倍の胴径をなすいわゆる二倍胴の反転用倍胴２４が対接している。前記反転用倍胴２４の前記渡胴２０Ｃとの対接位置よりも回転方向下流側と、前記印刷胴２１の前記渡胴２０Ｂとの対接位置よりも回転方向下流側と当該印刷胴２１の前記渡胴２０Ａとの対接位置よりも回転方向上流側との間と、の間には、当該反転用倍胴２４に保持されているシート１の、前記くわえ装置２４ａに保持された端部と異なる端部を前記印刷胴２１の前記くわえ装置２１ａ〜２１ｃにくわえ替えさせて反転させるように受け渡す反転用スイング装置２５が配設されている。
【００２０】
前記渡胴２０Ｃの、前記渡胴２０Ｂとの対接位置よりも回転方向下流側と前記反転用倍胴２４との対接位置よりも回転方向上流側との間には、シート１の端部を着脱可能に保持するくわえ装置３１ａを一つ有するいわゆる一倍胴の紙取胴３１が対接している。前記紙取胴３１の前記渡胴２０Ｃとの対接位置よりも回転方向下流側には、当該紙取胴３１からシート１を受け取って排紙台３３上へ積載するシート搬送装置１００が配設されており、当該シート搬送装置１００は、以下のような構成となっている。
【００２１】
図２，３に示すように、前記紙取胴３１の軸方向両側の下方近傍には、当該紙取胴３１の径方向に沿って長手方向を水平方向へ向けた長板状をなすフレーム１０１が対をなすようにして配設されている。前記フレーム１０１の前記紙取胴３１側の端部（一方側の端部）には、サポートフレーム１０２が対をなすようにしてそれぞれ取り付けられている。前記フレーム１０１の他方側の端部には、サポートフレーム１０３が対をなすようにしてそれぞれ取り付けられている。
【００２２】
前記サポートフレーム１０２間には、前記紙取胴３１の軸方向に沿って軸方向を向けたローラ１１１が回転可能に支持されている。前記サポートフレーム１０３間には、前記紙取胴３１の軸方向に沿って軸方向を向けたローラ１１２が回転可能に支持されている。前記ローラ１１１，１１２間には、当該ローラ１１１，１１２の軸方向に沿って複数のエンドレス型の搬送ベルト１１３が巻き掛けられており、当該搬送ベルト１１３は、前記紙取胴３１と対接すると共に、上記ローラ１１１，１１２の回転に伴って走行することができるようになっている。なお、図２中、１１４は前記搬送ベルト１１３の張力を調整するテンションローラである。
【００２３】
前記フレーム１０１の長手方向中程には、支持ブラケット１０４が当該フレーム１０１の上方へ突出するようにしてそれぞれ取り付けられている。これら支持ブラケット１０４間には、前記ローラ１１１，１１２の軸方向に沿って軸方向を向けた回動軸１２１が回動可能に支持されており、当該回動軸１２１は、その一方の端部（図３中、左側の端部）が、上記支持ブラケット１０４よりも軸方向外側へ突出するように設定されている。
【００２４】
前記回動軸１２１には、軸方向に沿って所定の間隔で複数（本実施形態では二つ）の取付部材１２２が取り付けられている。これら取付部材１２２には、前記回動軸１２１の径方向に沿って長手方向を向けたアーム１２３の基端側がそれぞれ固定されている。これらアーム１２３の先端側には、前記ローラ１１１，１１２の軸方向に沿って軸方向を向けた押付部材である円柱型のコロ１２４がそれぞれ回転可能に設けられており、当該アーム１２３は、前記紙取胴３１と前記搬送ベルト１１３との対接位置、言い換えると、前記紙取胴３１の前記くわえ装置３１ａの移動軌跡（シート搬送経路）と前記搬送ベルト１１３の搬送面との対向位置に当該コロ１２４を位置させるようにそれぞれ配向されている。
【００２５】
つまり、前記コロ１２４は、前記搬送ベルト１１３に対して当接離反移動できるように前記アーム１２３、前記取付部材１２２、前記回動軸１２１等を介して前記支持ブラケット１０４に支持されているのである。
【００２６】
前記回動軸１２１の一方の端部寄り（図３中、左側の端部寄り）には、レバー１２５の基端側が取り付けられている。前記レバー１２５の先端側には、引張コイルばね１２６の一端側が取付ねじ１２５ａを介して連結されている。前記引張コイルばね１２６の他端側は、前記サポートフレーム１０３に取付ねじ１０３ａを介して連結されている。
【００２７】
つまり、前記引張コイルばね１２６は、前記コロ１２４を前記搬送ベルト１１３の上面に対して当接方向へ移動させるように、前記レバー１２５を介して前記回動軸１２１を回動させる方向へ付勢することができるようになっているのである。
【００２８】
前記回動軸１２１の一方の端部（図３中、左側の端部）には、規制ブロック１２７が取り付けられている。前記回動軸１２１の一方の端部側の前記支持ブラケット１０４の上部には、前記規制ブロック１２７の上方を覆うように支持板１２８が突設されている。前記支持板１２８の前記規制ブロック１２７の上方位置には、規制ねじ１２９が当該支持板１２８を上下方向へ貫通するように設けられている。
【００２９】
つまり、前記コロ１２４が前記搬送ベルト１１３の上面から離反する方向へ前記アーム１２３が揺動すると、当該アーム１２３の揺動に伴って、前記回動軸１２１が回動することにより前記規制ブロック１２７が回動して前記規制ねじ１２９に衝突し、当該アーム１２３の当該方向への揺動可能範囲を制限、すなわち、上記搬送ベルト１１３に対する上記コロ１２４の離反方向への移動を規制することができるようになっているのである。
【００３０】
前記フレーム１０１の前記サポートフレーム１０３の近傍には、支持ブラケット１０５が当該フレーム１０１の上方へ突出するようにしてそれぞれ取り付けられている。これら支持ブラケット１０５間には、前記ローラ１１１，１１２の軸方向に沿って軸方向を向けた支持軸１３１が固定支持されている。
【００３１】
前記支持軸１３１には、複数（本実施形態では四つ）の支持ブロック１３２が当該支持軸１３１の軸方向に沿ってスライド移動できるように設けられている。これら支持ブロック１３２には、位置決めねじ１３２ａが螺合しており、当該位置決めねじ１３２ａを締め付けることにより、当該支持ブロック１３２を上記支持軸１３１に対して位置決め固定することができるようになっている。
【００３２】
一部（本実施形態では支持軸１３１の軸方向内側の二つ）の前記支持ブロック１３２には、前記ローラ１１１側と前記ローラ１１２側とにそれぞれ突出する支持板１３３が各々取り付けられている。前記支持板１３３の前記ローラ１１１側の端部には、前記搬送ベルト１１３の上面の走行方向に沿って長手方向を向けたガイドプレート１３５の基端側がそれぞれ連結固定されており、当該ガイドプレート１３５は、その先端側が、前記コロ１２４と前記搬送ベルト１１３との当接位置よりもわずかに当該搬送ベルト１１３の走行方向下流側に位置すると共に、その高さ位置が、前記搬送ベルト１１３の上面に対して、シート１の厚さよりもわずかに大きいサイズの間隔を形成できるように、それぞれ設定されている。
【００３３】
残り（本実施形態では支持軸１３１の軸方向外側の二つ）の前記支持ブロック１３２には、前記ローラ１１２側のみに突出する支持板１３４が各々取り付けられている。前記支持板１３３の前記ローラ１１２側及び前記支持板１３４には、当該支持板１３３，１３４の長手方向に沿ってスライド移動可能なスライド部材１３６がそれぞれ取り付けられている。これらスライド部材１３６には、位置決めねじ１３６ａが螺合しており、当該位置決めねじ１３６ａを締め付けることにより、当該スライド部材１３６を上記支持板１３３，１３４に対して位置決め固定することができるようになっている。
【００３４】
前記スライド部材１３６には、前記ローラ１１２の上方に先端側を位置させるように長手方向を向けた板ばね１３７の基端側がそれぞれ取り付けられている。前記板ばね１３７の先端側には、前記ローラ１１２の軸方向に沿って軸方向を向けたコロ１３８の支持軸１３８ａが取り付けられており、当該板ばね１３７は、前記ローラ１１２に巻き付けられている前記搬送ベルト１１３に対して前記コロ１３８を押し付けるように付勢することができるようになっている。なお、図２，３中、１３９は前記板ばね１３７の付勢力を調整する調整ねじである。
【００３５】
このような本実施形態においては、前記支持ブラケット１０４、前記回動軸１２１、前記取付部材１２２、前記アーム１２３等により押付部材支持手段を構成し、前記レバー１２５、前記引張コイルばね１２６等により押付部材付勢手段を構成し、前記支持ブラケット１０４、前記規制ブロック１２７、前記支持板１２８、前記規制ねじ１２９等により押付部材移動規制手段を構成し、前記支持ブラケット１０５、前記支持軸１３１、前記支持ブロック１３２、前記支持板１３３、前記ガイドプレート１３５等によりシート搬送案内手段を構成し、前記支持ブラケット１０５、前記支持軸１３１、前記支持ブロック１３２、前記支持板１３３，１３４、前記スライド部材１３６、前記板ばね１３７、前記コロ１３８、前記調整ねじ１３９等によりシート排出案内手段を構成し、前記押付部材支持手段、前記押付部材付勢手段、前記押付部材移動規制手段等によりシート移行手段を構成し、前記フレーム１０１〜１０３、前記ローラ１１１，１１２、前記搬送ベルト１１３、前記テンションローラ１１４、前記シート移行手段、前記シート搬送案内手段、前記シート排出案内手段等によりシート搬送装置１００を構成している。
【００３６】
さらに、本実施形態においては、前記給紙台１１、前記サッカ装置１２、前記フィーダボード１３、前記スイング装置１４等によりシート供給手段である給紙装置１０を構成し、前記渡胴２０Ａ〜２０Ｃ、前記印刷胴２１、前記インクジェットノズルヘッド２２Ａ〜２２Ｄ、前記乾燥ランプ２３、前記反転用倍胴２４、前記反転用スイング装置２５等によりシート印刷手段である印刷装置２０を構成し、シート送給手段である前記紙取胴３１、前記排紙台３３、前記シート搬送装置１００等によりシート排出手段である排紙装置３０を構成し、前記給紙装置１０、前記印刷装置２０、前記排紙装置３０等により両面デジタル印刷機を構成している。
【００３７】
次に、本実施形態に係る両面デジタル印刷機の作動を説明する。
【００３８】
まず、シート１の一方の面のみに印刷を施す場合には、前記給紙部１０の前記給紙台１１上のシート１を前記サッカ装置１２により前記フィーダボード１３上に一枚ずつ供給すると、前記スイング装置１４が当該フィーダボード１３上のシート１の先端側を前記印刷部２０の前記渡胴２０Ａの前記くわえ装置２０Ａａにくわえさせるように当該シート１を受け渡す。
【００３９】
前記渡胴２０Ａの前記くわえ装置２０Ａａに先端側をくわえられて保持されたシート１は、前記印刷胴２１の例えばくわえ装置２１ａに先端側をくわえ替えされて保持される。前記印刷胴２１の外周面に保持された前記シート１は、前記インクジェットノズルヘッド２２Ａ〜２２Ｄにより、外側の面（一方の面）にインキが印刷された後、前記乾燥ランプ２３により、印刷されたインキが乾燥されてから、前記渡胴２０Ｂの前記くわえ装置２０Ｂａに先端側をくわえ替えされて保持される。
【００４０】
前記渡胴２０Ｂの前記くわえ装置２０Ｂａに先端側をくわえられて保持されたシート１は、前記渡胴２０Ｃの前記くわえ装置２０Ｃａに先端側をくわえ替えされて保持された後、前記排紙部３０の前記紙取胴３１の前記くわえ装置３１ａに先端側をくわえ替えされて保持される。
【００４１】
前記紙取胴３１の前記くわえ装置３１ａに先端側をくわえられて保持されたシート１は、当該くわえ装置３１ａによる把持から前記シート搬送装置１００の前記搬送ベルト１１３上で解放されて当該搬送ベルト１１３上に載せられ、前記ローラ１１１，１１２の回転に伴う当該搬送ベルト１１３の走行により、前記排紙台３３上に積載される（より具体的には後述する）。
【００４２】
他方、シート１の一方の面と他方の面との両面に印刷を施す場合には、上述と同様に、前記給紙部１０の前記給紙台１１上のシート１を前記印刷胴２１の例えばくわえ装置２１ａにくわえさせるように前記印刷部２０の前記渡胴２０Ａを介して受け渡し、当該印刷胴２１の外周面に保持されたシート１に対して、前記インクジェットノズルヘッド２２Ａ〜２２Ｄにより、外側の面（一方の面）にインキを印刷した後、前記乾燥ランプ２３により、印刷されたインキを乾燥してから、前記渡胴２０Ｂを介して前記渡胴２０Ｃの前記くわえ装置２０Ｃａにシート１を受け渡すと、前記紙取胴３１は、前記くわえ装置３１ａで当該渡胴２０Ｃの当該くわえ装置２０Ｃａからシート１を受け取ることなくそのまま通過させる。
【００４３】
前記紙取胴３１の前記くわえ装置３１ａにくわえ替えされることなく前記渡胴２０Ｃの前記くわえ装置２０Ｃａに先端側（一方端側）をくわえられたまま通過した前記シート１は、前記反転用倍胴２４の前記くわえ装置２４ａに先端側（一方端側）をくわえ替えされて保持される。
【００４４】
前記反転用倍胴２４の前記くわえ装置２４ａに先端側（一方端側）をくわえられて保持されたシート１は、後端側（他方端側）を前記反転用スイング装置２５にくわえられると共に、当該反転用倍胴２４の当該くわえ装置２４ａによる保持から先端側（一方端側）が解放された後、当該反転用スイング装置２５によって後端側（他方端側）が前記印刷胴２１の例えば前記くわえ装置２１ｂにくわえ替えされることにより、後端側（他方端側）を先行させて、当該印刷胴２１に先に保持されていたときと反対側の面（他方の面）を外側へ向けるように当該印刷胴２１に再び保持される。
【００４５】
前記印刷胴２１の前記くわえ装置２１ｂに他方端側を新たにくわえられて他方の面を外側へ向けられるように再び保持されたシート１は、先の説明と同様に、前記インクジェットノズルヘッド２２Ａ〜２２Ｄにより、外側の面（他方の面）にインキが印刷され、前記乾燥ランプ２３により、印刷されたインキが乾燥された後、前記渡胴２０Ｂを介して前記渡胴２０Ｃの前記くわえ装置２０Ｃａに他方端側をくわえ替えされて保持され、前記排紙部３０の前記紙取胴３１の前記くわえ装置３１ａに他方端側をくわえ替えされて保持される。
【００４６】
そして、前記紙取胴３１の前記くわえ装置３１ａに他方端側をくわえられて保持されたシート１は、先の説明と同様に、前記シート搬送装置１００の前記搬送ベルト１１３上で当該くわえ装置３１ａによる他方端側の把持から解放されて当該搬送ベルト１１３上に載せられ、前記ローラ１１１，１１２の回転に伴う当該搬送ベルト１１３の走行により、前記排紙台３３上に積載される（より具体的には後述する）。
【００４７】
このように前記紙取胴３１からのシート１を前記排紙台３３へ搬送する上記シート搬送装置１００のより具体的な作動を次に説明する。
【００４８】
シート１の端部を前記くわえ装置３１ａでくわえて保持している前記紙取胴３１は、当該くわえ装置３１ａが前記シート搬送装置１００の前記搬送ベルト１１３の搬送面に対向する対向位置に位置する、すなわち、当該くわえ装置３１ａが当該搬送ベルト１１３との対接位置（シート１の受渡位置）に位置すると、当該くわえ装置３１ａによるシート１の端部のくわえを解放する。
【００４９】
前記紙取胴３１の前記くわえ装置３１ａによる把持から解放、すなわち、前記紙取胴３１から前記搬送ベルト１１３に受け渡されるとき、シート１は、当該解放とほぼ同時に前記コロ１２４により前記搬送ベルト１１３に押し付けられることにより、上記くわえ装置３１ａから確実に離されて、当該紙取胴３１から当該搬送ベルト１１３上に確実に受け渡され、前記ローラ１１１，１１２の回転による当該搬送ベルト１１３の走行に伴って、当該搬送ベルト１１３と前記ガイドプレート１３５との間で案内されながら搬送された後、前記コロ１３８で当該搬送ベルト１１３に押し付け案内されながら前記排紙台３３上に送り出される。
【００５０】
したがって、本実施形態に係るシート搬送装置１００によれば、前記紙取胴３１からのシート１を前記搬送ベルト１１３に確実に受け取って搬送することができるので、当該紙取胴３１にシート１を詰まらせてしまうことを防止でき、シート１の損傷を防止して、損紙の発生を大幅に抑制することができる。
【００５１】
また、前記コロ１２４でシート１を前記搬送ベルト１１３に押さえ付けるようにしたことから、簡単な部材だけでシート１に傷等をつけることなく前記紙取胴３１からシート１を前記搬送ベルト１１３に確実に受け渡すことができる。
【００５２】
また、何らかの原因により、前記搬送ベルト１１３と前記コロ１２４との間にシート１が詰まって、当該コロ１２４が上方へ大きく移動するように前記アーム１２３が揺動したとしても、当該アーム１２３の揺動に伴う前記回動軸１２１の回動により前記規制ブロック１２７が回動して前記規制ねじ１２９に衝突し、当該アーム１２３の当該方向への揺動可能範囲が制限、すなわち、上記搬送ベルト１１３に対する上記コロ１２４の離反方向への移動が規制されるので、当該コロ１２４と前記紙取胴３１との干渉を未然に避けることができ、装置の損傷を防止することができる。
【００５３】
〈他の実施形態〉
なお、前述した実施形態においては、前記コロ１２４を押付部材に適用した場合について説明したが、他の実施形態として、例えば、ボールやブラシ等を押付部材に適用することも可能である。
【００５４】
また、前述した実施形態においては、両面デジタル印刷機の排紙装置３０に利用した場合について説明したが、本発明に係るシート搬送装置は、印刷されたシート１を紙取胴３１から排紙台３３上に搬送するシート搬送装置１００に限らず、シート送給手段から受け渡されたシートを搬送する搬送ベルトを備えているシート搬送装置であれば、前述した実施形態の場合と同様にして適用することができる。
【産業上の利用可能性】
【００５５】
本発明に係るシート搬送装置は、シート送給手段からのシートを搬送ベルトで確実に受け取って搬送することができるので、例えば、印刷産業等において極めて有益に利用することができる。
【符号の説明】
【００５６】
１  シート
１０  給紙装置
１１  給紙台
１２  サッカ装置
１３  フィーダボード
１４  スイング装置
２０  印刷装置
２０Ａ〜２０Ｃ  渡胴
２０Ａａ〜２０Ｃａ  くわえ装置
２２Ａ〜２２Ｄ  インクジェットノズルヘッド
２３  乾燥ランプ
２４  反転用倍胴
２４ａ  くわえ装置
２５  反転用スイング装置
３０  排紙装置
３１  紙取胴
３１ａ  くわえ装置
３３  排紙台
１００  シート搬送装置
１０１  フレーム
１０２，１０３  サポートフレーム
１０３ａ  取付ねじ
１０４，１０５  支持ブラケット
１１１，１１２  ローラ
１１３  搬送ベルト
１１４  テンションローラ
１２１  回転軸
１２２  取付部材
１２３  アーム
１２４  コロ
１２５  レバー
１２５ａ  取付ねじ
１２６  引張コイルばね
１２７  規制ブロック
１２８  支持板
１２９  規制ねじ
１３１  支持軸
１３２  支持ブロック
１３２ａ  位置決めねじ
１３３，１３４  支持板
１３５  ガイドプレート
１３６  スライド部材
１３６ａ  位置決めねじ
１３７  板ばね
１３８  コロ
１３８ａ  支持軸
１３９  調整ねじ
【図１】
2015189539.tif 000003
【図２】
2015189539.tif 000004
【図３】
2015189539.tif 000005